(57)【要約】【課題】絞り部材の絞り孔による絞り作用により回転ドラムに回転抵抗が付与され、回転ドラムは低速に解き回転し、安全な降下速度で脱出降下することができる。【解決手段】外ハウジング２と内ハウジング３からなるハウジング１に回転軸４を突設し、回転軸に索体５を巻取可能な回転ドラム６を設け、内ハウジングに放射状に複数個のプランジャ孔９を設け、各プランジャ孔にプランジャ８を摺動自在に配置し、回転軸に複数個のプランジャを互いに異なる位相で外方に摺動させるカム体１０を設け、外ハウジングと内ハウジングとの間に複数個のプランジャ孔に連通すると共に作動液体Ｌを封入した液槽部１２を設け、内ハウジングに液槽部と各プランジャ孔との間を流通する作動液体の流量を規制する絞り孔１３ａをもつ絞り部材１３を設けてなる。【選択図】　　　　図３
2004024314.tif 000002
【特許請求の範囲】
【請求項１】
外ハウジングと内ハウジングからなるハウジングに回転軸を突設し、該回転軸に索体を巻取可能な回転ドラムを設け、該内ハウジングに放射状に複数個のプランジャ孔を設け、該各プランジャ孔にプランジャを摺動自在に配置し、該回転軸に該複数個のプランジャを互いに異なる位相で外方に摺動させるカム体を設け、該外ハウジングと内ハウジングとの間に該複数個のプランジャ孔に連通すると共に作動液体を封入した液槽部を設け、該内ハウジングに該液槽部と該各プランジャ孔との間を流通する作動液体の流量を規制する絞り孔をもつ絞り部材を設けて構成したことを特徴とする脱出降下器具。
【請求項２】
上記液槽部と上記プランジャ孔とを連通可能なバイパス路を設け、該バイパス路を開閉させる弁機構を設けてなることを特徴とする請求項１記載の脱出降下器具。
【請求項３】
上記液槽部内の作動液体を蓄積可能なアキュムレータ部を設けてなることを特徴とする請求項１又は２記載の脱出降下器具。
【請求項４】
上記弁機構として、上記バイパス路を開閉可能な切換プランジャと、該切換プランジャを進退開閉動作させる切換旋回部材とからなることを特徴とする請求項２又は３記載の脱出降下器具。
【請求項５】
上記ハウジングに上記索体を案内可能な案内部材を設けてなることを特徴とする請求項１〜４のいずれか１項に記載の脱出降下器具。
【請求項６】
上記ハウジングに使用者又は建物等の取付部位に止着された支持索体を係留可能な係留部を設けてなることを特徴とする請求項１〜５のいずれか１項に記載の脱出降下器具。
【発明の詳細な説明】
【０００１】
【発明の属する技術分野】
本発明は例えば緊急非常時に高層建物等から降下避難する際に用いられる脱出降下器具に関するものである。
【０００２】
【従来の技術】
従来、この種の脱出降下器具として、例えば実開昭６４−１２５４８号公報に示す如く、人体支持用のロープを重ね巻きする回転ドラムと、回転ドラムの回転を減速装置を介して制動する制動装置とからなり、この制動装置がシリンダとオリフィスを有するピストンとからなるピストンシリンダ型式となっている構造のものが知られている。
【０００３】
【発明が解決しようとする課題】
しかしながら上記従来構造の場合、予め高層建物等に組み込み設置される構造となっているため、可搬性がなくて、使用の融通性が低下しているとともに装置が大掛かりとなることがあるという不都合を有している。
【０００４】
【課題を解決するための手段】
本発明はこのような課題を解決することを目的とするもので、本発明のうちで、請求項１記載の発明は、外ハウジングと内ハウジングからなるハウジングに回転軸を突設し、該回転軸に索体を巻取可能な回転ドラムを設け、該内ハウジングに放射状に複数個のプランジャ孔を設け、該各プランジャ孔にプランジャを摺動自在に配置し、該回転軸に該複数個のプランジャを互いに異なる位相で外方に摺動させるカム体を設け、該外ハウジングと内ハウジングとの間に該複数個のプランジャ孔に連通すると共に作動液体を封入した液槽部を設け、該内ハウジングに該液槽部と該各プランジャ孔との間を流通する作動液体の流量を規制する絞り孔をもつ絞り部材を設けて構成したことを特徴とする脱出降下器具にある。
【０００５】
又、請求項２記載の発明は、上記液槽部と上記プランジャ孔とを連通可能なバイパス路を設け、該バイパス路を開閉させる弁機構を設けてなることを特徴とするものであり、又、請求項３記載の発明は、上記液槽部内の作動液体を蓄積可能なアキュムレータ部を設けてなることを特徴とするものであり、又、請求項４記載の発明は、上記弁機構として、上記バイパス路を開閉可能な切換プランジャと、該切換プランジャを進退開閉動作させる切換旋回部材とからなることを特徴とするものであり、又、請求項５記載の発明は、上記ハウジングに上記索体を案内可能な案内部材を設けてなることを特徴とするものであり、又、請求項６記載の発明は、上記ハウジングに使用者又は建物等の取付部位に止着された支持索体を係留可能な係留部を設けてなることを特徴とするものである。
【０００６】
【発明の実施の形態】
図１乃至図１２は本発明の実施の形態例を示し、１はハウジングであって、相互に固着された外ハウジング２と内ハウジング３からなり、このハウジング１に回転軸４を回転自在に突設し、この回転軸４の突出端部にワイヤーやロープ等の索体５を巻取可能な回転ドラム６をキー７により固定すると共に回転軸４の突出端部にレンチ掛部４ａを形成し、回転ドラムに６に索体５の一方端部を止着して索体５を回転ドラム６に巻き取るように構成している。
【０００７】
８はプランジャであって、上記内ハウジング３に放射状に九個のプランジャ孔９を形成し、この各プランジャ孔９にプランジャ８を摺動自在に嵌合配置している。
【０００８】
１０はカム体であって、この場合、四個のカム凸部１０ａが形成され、上記回転軸４に一体に形成され、このカム凸部１０ａは上記九個のプランジャ８を互いに異なる位相で外方に摺動させるように構成されている。
【０００９】
１２は液槽部であって、上記外ハウジング２と内ハウジング３との間に環状に上記複数個のプランジャ孔９に連通して形成され、この液槽部１２内に作動油等の作動液体Ｌを封入して構成している。
【００１０】
１３は絞り部材であって、この場合、上記内ハウジング３の各プランジャ孔９に螺着固定して設けられ、液槽部１２と各プランジャ孔９との間を流通する作動液体Ｌの流量を規制する絞り孔１３ａが形成されている。
【００１１】
１４はバイパス路、１５は弁機構であって、この場合、バイパス路１４は内ハウジング３に形成され、上記液槽部１２と上記プランジャ孔９とを連通可能なプランジャ側バイパス路１４ａ及び液槽部側バイパス路１４ｂからなり、又、このバイパス路１４を開閉させる弁機構１５は、この場合、上記バイパス路１４を開閉可能な切換プランジャ１６を外ハウジング２及び上記プランジャ側バイパス路１４ａに摺動自在に九個嵌装し、外ハウジング２に切換旋回部材１７をガイドピン１８及び長穴１９により作動位置Ｓ及び回収位置Ｈの間を旋回自在に設け、切換旋回部材１７に切換ハンドル１７ａを突設し、切換プランジャ１６の頭部に環状カム凹溝１６ａを形成し、切換旋回部材１７に切換プランジャ１６の頭部が摺動自在に嵌合する嵌合長孔２０を形成し、この嵌合長穴２０に環状カム凹溝１６ａに摺動嵌合するレールカム凸部２０ａを形成し、このレールカム凸部２０ａを切換旋回部材１７の正逆角度旋回により切換プランジャ１６を進退させるレール上状の斜面カムに形成し、かつ、作動位置Ｓ及び回収位置Ｈにおいて切換旋回部材１７を停留可能な停留機構２１を設け、この停留機構２１として、外ハウジング２に位置決めピン２１ａ及び弾圧用バネ２１ｂを内装した停留部材２１ｃを作動位置Ｓ及び回収位置Ｈに対応した位置に設けると共に切換旋回部材１７に位置決めピン２１ａに弾圧係合可能な凹部２１ｄを有する位置決め部材２１ｅを設けて構成している。
【００１２】
しかして、作動位置Ｓにおいては、図６乃至図８の如く、バイパス路１４は弁機構１５の切換プランジャ１６により閉塞され、又、回収位置Ｈにおいては、図９乃至図１１の如く、切換旋回部材１７を旋回すると環状カム凹溝１６ａとレールカム凸部２０ａとの作用により切換プランジャ１６は後退し、これによりバイパス路１４を開口し、液槽部１２とプランジャ孔９とは絞り部材１３を介さずに直接連通することになる。
【００１３】
２２はアキュムレータ部であって、この場合、外ハウジング２に筒状の握柄部２３を対向形成し、各握柄部２３に液槽部１２に連通する内穴２３ａをそれぞれ形成し、一方の握柄部２３の内穴２３ａに蓄積用プランジャ２４を摺動自在に設け、内穴２３ａに弁座面２３ｂを形成し、内穴２３ａの外方端部にプラグ２５を螺着固定すると共に蓄積用プランジャ２４を弁座面２３ｂに弾圧可能な弁用バネ２６を設け、他方の握柄部２３の内穴２３ａの外方端部に閉塞プラグ２７を螺着固定して構成している。しかして、閉塞プラグ２７を取り外して他方の握柄部２３の内穴２３ａを介して作動液体Ｌを液槽部１２及び一方の握柄部２３の内穴２３ａ内に注入し、このとき、作動液体Ｌによりアキュムレータ部２２の弁座面２３ｂと蓄積用プランジャ２４との間に作動液体Ｌが蓄積され、この状態で閉塞プラグ２７を止栓することになる。
【００１４】
２８は案内部材であって、上記ハウジング１の外ハウジング２に取り付けられ、上記回転ドラムに巻き取られているワイヤーやロープ等の索体５を案内可能な案内孔２８ａ設けてなる。
【００１５】
２９は係留部であって、上記ハウジング１の外ハウジング２に取り付けられ、使用者Ｍ又は建物等の取付部位Ｋに止着されたワイヤーやロープ等の支持索体３０を係留可能な係留孔２９ａが形成されている。
【００１６】
この実施の形態例は上記構成であるから、例えば、図１２の如く、ハウジング１の係留部２９に支持索体３０を連結し、支持索体３０を降下脱出すべき使用者Ｍに連結し、一方、建物等の取付部位Ｋに索体５の一方端部を止着し、握柄部２３を持って降下すると、索体５は回転ドラム６から解かれ、回転ドラム６は図３、図４の矢印方向に回転し、この回転ドラムの回転により回転軸４に設けたカム体１０が回転し、カム体１０の回転により複数個のプランジャ８はカム凸部１０ａによりプランジャ孔９を互いに異なる位相で外方に摺動することになり、このプランジャ８の摺動により図３、図４の如く、各プランジャ孔９は液槽部１２を介して連通しているので、各プランジャ８は液槽部８の作動液体Ｌの吸込又は吐出動作を繰り返すことになり、即ち、各プランジャ８のうちの或るプランジャ８はカム体１０により液槽部１２に吐出動作すると共に他の或るプランジャ８は液槽部１２から吸込動作することになり、このとき、プランジャ孔９から液槽部１２へと吐出される作動液体Ｌ及び液槽部１２からプランジャ孔９へと吸い込まれる作動液体Ｌは絞り部材１３の絞り孔１３ａを通過することになり、この絞り孔１３ａは液槽部１２と各プランジャ孔９との間を流通する作動液体Ｌの流量を規制することになり、この絞り作用により回転ドラム６に回転抵抗が付与され、回転ドラム６は低速に解き回転し、安全な降下速度で脱出降下することができる。
【００１７】
この場合、上記液槽部１２と上記プランジャ孔９とを連通可能なバイパス路１４を設け、バイパス路１４を開閉させる弁機構１５を設けているから、弁機構１５によりバイパス路１４を開口すると、図１１の如く、液槽部１２とプランジャ孔９とは絞り部材１３を介さずに直接連通することになり、このため、絞り部材１３による絞り作用を受けずに作動液体Ｌは液槽部１２とプランジャ孔９との間を流通し、回転ドラム６を容易に巻取回転させて索体５を回転ドラム４に巻取回収することができ、又、この場合、上記液槽部１２内の作動液体Ｌを蓄積可能なアキュムレータ部２２を設けているから、作動液体Ｌを蓄積することにより作動液体Ｌの温度変化等による液圧の変化に対応することができ、又、この場合、上記弁機構１５として、上記バイパス路１４を開閉可能な切換プランジャ１６と、切換プランジャ１６を進退開閉動作させる切換旋回部材１７とからなるので、バイパス路１４の開閉を容易に行うことができる。
【００１８】
又、この場合、上記ハウジング１に上記索体５を案内可能な案内部材２８を設けてなるから、索体５の回転ドラム４に対する巻取及び解きを容易に行うことができ、又、この場合、上記ハウジング１に使用者Ｍ又は建物等の取付部位Ｋに止着された支持索体３０を係留可能な係留部２９を設けてなるから、ハウジング１と使用者Ｍ又は建物等の取付部位Ｋとを迅速に連結することができ、使用の利便性を高めることができる。
【００１９】
尚、本発明は上記実施の形態例に限られるものではなく、ハウジング１、回転ドラム４、プランジャ８、カム体１０、カム凸部１０ａ等の構造や材質、個数等は適宜変更して設計される。又、使用方法として、上記実施の形態例においては、索体５を取付部位Ｋに連結すると共に支持索体３０を使用者Ｍに連結する使用となっているが、索体５を使用者Ｍに連結すると共に支持索体３０を建物等の取付部位Ｋに連結して使用することもある。
【００２０】
【発明の効果】
本発明は上述の如く、請求項１記載の発明にあっては、索体を高層建物等の取付部位に連結すると共にハウジングを使用者に連結し、又は、索体を使用者に連結すると共にハウジングを高層建物等の取付部位に連結し、脱出降下すると、回転ドラムから索体が解かれ、回転ドラムの回転により回転軸に設けたカム体が回転し、カム体の回転により複数個のプランジャはプランジャを互いに異なる位相で外方に摺動することになり、このプランジャの摺動により各プランジャ孔は液槽部を介して連通しているので、各プランジャは液槽部の作動液体の吸込又は吐出動作を繰り返すことになり、このとき、プランジャ孔から液槽部へと吐出される作動液体及び液槽部からプランジャ孔へと吸い込まれる作動液体は絞り部材の絞り孔を通過することになり、絞り孔は液槽部と各プランジャ孔との間を流通する作動液体の流量を絞り規制することになり、この絞り作用により回転ドラムに回転抵抗が付与され、回転ドラムは低速に解き回転し、安全な降下速度で脱出降下することができる。
【００２１】
又、請求項２記載の発明にあっては、上記液槽部と上記プランジャ孔とを連通可能なバイパス路を設け、バイパス路を開閉させる弁機構を設けているから、弁機構によりバイパス路を開口すると、液槽部とプランジャ孔とは絞り部材を介さずに直接連通することになり、このため、絞り部材による絞り作用を受けずに作動液体は液槽部とプランジャ孔との間を流通し、回転ドラムを容易に巻取回転させて索体を回転ドラムに巻取回収することができ、又、請求項３記載の発明にあっては、上記液槽部内の作動液体を蓄積可能なアキュムレータ部を設けているから、作動液体を蓄積することにより作動液体の温度変化等による液圧の変化に対応することができ、又、請求項４記載の発明にあっては、上記弁機構として、上記バイパス路を開閉可能な切換プランジャと、切換プランジャを進退開閉動作させる切換旋回部材とからなるので、バイパス路の開閉を簡素な構造で容易に行うことができる。
【００２２】
又、請求項５記載の発明にあっては、上記ハウジングに上記索体を案内可能な案内部材を設けてなるから、索体の回転ドラムに対する巻取及び解きを容易に行うことができ、又、請求項６記載の発明にあっては、上記ハウジングに使用者又は建物等の取付部位に止着された支持索体を係留可能な係留部を設けてなるから、ハウジングと使用者又は建物等の取付部位とを迅速に連結することができ、使用の利便性を高めることができる。
【００２３】
以上、所期の目的を充分達成することができる。
【図面の簡単な説明】
【図１】本発明の実施の形態例の全体側面図である。
【図２】本発明の実施の形態例の全体側断面図である。
【図３】本発明の実施の形態例の全体側断面図である。
【図４】本発明の実施の形態例の部分側断面図である。
【図５】本発明の実施の形態例の全体側面図である。
【図６】本発明の実施の形態例の部分側面図である。
【図７】本発明の実施の形態例の部分側断面図である。
【図８】本発明の実施の形態例の拡大部分側断面図である。
【図９】本発明の実施の形態例の部分側面図である。
【図１０】本発明の実施の形態例の部分側断面図である。
【図１１】本発明の実施の形態例の拡大部分側面図である。
【図１２】本発明の実施の形態例の使用状態図である。
【符号の説明】
Ｓ　作動位置
Ｈ　回収位置
Ｌ　作動液体
１　ハウジング
２　外ハウジング
３　内ハウジング
４　回転軸
５　索体
６　回転ドラム
８　プランジャ
９　プランジャ孔
１０　カム体
１２　液槽部
１３　絞り部材
１３ａ　絞り孔
１４　バイパス路
１５　弁機構
１６　切換プランジャ
２２　アキュムレータ部
２８　案内部材
２９　係留部
３０　支持索体
【図１】
2004024314.tif 000003
【図２】
2004024314.tif 000004
【図３】
2004024314.tif 000005
【図４】
2004024314.tif 000006
【図５】
2004024314.tif 000007
【図６】
2004024314.tif 000008
【図７】
2004024314.tif 000009
【図８】
2004024314.tif 000010
【図９】
2004024314.tif 000011
【図１０】
2004024314.tif 000012
【図１１】
2004024314.tif 000013
【図１２】
2004024314.tif 000014